(57)【要約】【課題】テーブル什器における座席選択の自由度を損なうことなく個人の所有物を保管可能とする。【解決手段】左右寸法が前後寸法よりも長尺な天板２ｃを有するテーブル什器２と、左右寸法が前後寸法よりも長尺な天板４ｃを有するテーブル什器４と、テーブル什器２とテーブル什器４との間にて天板２ｃ及び天板４ｃの左右方向の端部に当接されて配置されると共に天板２ｃ及び天板４ｃの設置高さを超える高さ寸法を有する収納什器３とを備える。【選択図】図１
2014090920.tif 000002
【特許請求の範囲】
【請求項１】
左右寸法が前後寸法よりも長尺な天板を有する複数のテーブル什器と、
前記テーブル什器同士の間にて前記天板の左右方向の端部に当接されて配置されると共に前記天板の設置高さを超える高さ寸法を有する収納什器と
を備えることを特徴とするワークステーション装置。
【請求項２】
前後方向において、前記天板の前側端部と前記収納什器の前側端部との位置が一致され、かつ、前記天板の後側端部と前記収納什器の後側端部との位置が一致されていることを特徴とする請求項１記載のワークステーション装置。
【請求項３】
前記収納什器は、
前記天板の前方に向けて開口する前側収納部と、
前記天板の後方に向けて開口する後側収納部と
を備えることを特徴とする請求項１または２記載のワークステーション装置。
【請求項４】
前記収納什器は、前記天板側の面であって前記天板の上に露出された領域が情報掲示部とされていることを特徴とする請求項１〜３いずれかに記載のワークステーション装置。
【請求項５】
前記天板が左右方向に延在する配線収容部を備え、
前記収納什器は、左側に配置された前記天板の配線収容部と右側に配置された前記天板の配線収容部とを連通する配線挿通部を備える
ことを特徴とする請求項１〜４いずれかに記載のワークステーション装置。
【請求項６】
前記収納什器は、
前記天板の前方に向けて開口する前側収納部と、
前記天板の後方に向けて開口する後側収納部と
を備え、
前記前側収納部と前記後側収納部との間に前記配線挿通部が形成されている
ことを特徴とする請求項５記載のワークステーション装置。
【発明の詳細な説明】
【技術分野】
【０００１】
本発明は、ワークステーション装置に関するものである。
【背景技術】
【０００２】
オフィス等の執務空間においては、左右寸法が前後寸法よりも長尺な天板が脚体によって支持された大型のテーブル什器を複数のワーカーで共同して使用することが一般的である。このような大型のテーブル什器によれば、天板の左右方向における一人当たりの使用面積を調節することによって、１つのテーブル什器を使用する人数を変更することができる。したがって、組織変更等によってワーカーの数が増減した場合であっても、柔軟に対応することが可能となる。
【０００３】
また、近年では、このような大型のテーブル什器の使用方法としては、ワーカーが指定された定席にて執務を行うのではなく、テーブル什器における任意の自由な席で執務を行うものが多く見られている。こうしたテーブル什器の使用方法によれば、その時々の組織編成（部、課、プロジェクトチーム等）や、仕事内容（グループワーク、個人ワーク等）における必要性に応じて、ワーカーが適した場所で執務を行うことができる。また、営業職のような外出が多い部門においては、設置席数をワーカー数よりも少ない席とすることも可能となり、ファシリティコストの削減効果も得られる。
【０００４】
ただし、このようなテーブル什器においては、従来型の袖机と異なり、個人の所有物を保管する収納領域が設けられていないという問題を有している。このため、例えば、特許文献１に示されているような可動式のワゴンを別途用意し、このワゴンに個人の所有物を保管するのが一般的である。
【先行技術文献】
【特許文献】
【０００５】
【特許文献１】特開２００９−１７２３０３号公報
【発明の概要】
【発明が解決しようとする課題】
【０００６】
しかしながら、実際にはワゴンの移動が手間となることから、ワーカーはあまり席を移動することをせず、席が固定化されやすい。つまり、ワゴンがあると、ワゴンがない場合と比較して、席の選択の自由度が損なわれることになる。
【０００７】
本発明は、上述する問題点に鑑みてなされたもので、テーブル什器における座席選択の自由度を損なうことなく個人の所有物を保管可能とすることを目的とする。
【課題を解決するための手段】
【０００８】
本発明は、上記課題を解決するための手段として、以下の構成を採用する。
【０００９】
第１の発明は、ワークステーション装置であって、左右寸法が前後寸法よりも長尺な天板を有する複数のテーブル什器と、上記テーブル什器同士の間にて上記天板の左右方向の端部に当接されて配置されると共に上記天板の設置高さを超える高さ寸法を有する収納什器とを備えるという構成を採用する。
【００１０】
このような構成を採用する本発明によれば、テーブル什器同士の間に、天板の設置高さを超える高さ寸法の収納什器が設置されている。このため、本発明によれば、ワゴンを用いることなく個人の所有物を保管することが可能となる。このため、本発明によれば、テーブル什器における座席選択の自由度が損なわれることがない。
【００１１】
第２の発明は、上記第１の発明において、前後方向において、上記天板の前側端部と上記収納什器の前側端部との位置が一致され、かつ、上記天板の後側端部と上記収納什器の後側端部との位置が一致されているという構成を採用する。
【００１２】
このような構成を採用する本発明によれば、テーブル什器と収納什器との境界部分に前後方向に凹凸ができることを防止することができ、ワークステーション装置の前後端に凹凸が形成されず、使い勝手を良好なものとすることができる。
【００１３】
第３の発明は、上記第１または第２の発明において、上記収納什器が、上記天板の前方に向けて開口する前側収納部と、上記天板の後方に向けて開口する後側収納部とを備えるという構成を採用する。
【００１４】
このような構成を採用する本発明によれば、前側収納部がテーブル什器の天板の前方に向けて開口されており、後側収納部がテーブル什器の天板の後方に向けて開口されている。このため、天板の前方に着座するワーカーは、前側収納部に容易に荷物を出し入れすることができ、天板の後方に着座するワーカーは、後側収納部に容易に荷物を出し入れすることができる。したがって、本発明のワークステーション装置は、使い勝手の良いものとなる。
【００１５】
第４の発明は、上記第１〜第３いずれかの発明において、上記収納什器が、上記天板側の面であって上記天板の上に露出された領域が情報掲示部とされているという構成を採用する。
【００１６】
このような構成を採用する本発明によれば、収納什器の天板側の上部の面が情報掲示部として用いられる。このため、容易にワーカーが情報を共有することができ、ワークステーション装置としての使い勝手が向上する。
【００１７】
第５の発明は、上記第１〜第４いずれかの発明において、上記天板が左右方向に延在する配線収容部を備え、上記収納什器が、左側に配置された上記天板の配線収容部と右側に配置された上記天板の配線収容部とを連通する配線挿通部を備えるという構成を採用する。
【００１８】
このような構成を採用する本発明によれば、収納什器を挟んで配置される２つのテーブル什器同士に、容易に配線を引き渡すことが可能となる。
【００１９】
第６の発明は、上記第５の発明において、前記収納什器が、前記天板の前方に向けて開口する前側収納部と、前記天板の後方に向けて開口する後側収納部とを備え、前記前側収納部と前記後側収納部との間に前記配線挿通部が形成されているという構成を採用する。
【００２０】
このような構成を採用する本発明によれば、前側収納部と後側収納部とを形成すれば配線挿通部が形成されることになるため、配線挿通部を簡易的に構成することが出来る。
【発明の効果】
【００２１】
本発明によれば、テーブル什器同士の間に、天板の設置高さを超える高さ寸法の収納什器が設置されているため、ワゴンを用いることなく個人の所有物を保管することができ、テーブル什器における座席選択の自由度を損なうことなく個人の所有物を保管することが可能となる。
【図面の簡単な説明】
【００２２】
【図１】本発明の一実施形態のワークステーション装置の概略構成を示す斜視図である。
【図２】本発明の一実施形態のワークステーション装置が備える収納什器の概略構成を示す４面図であり、（ａ）が図１における左側から見た正面図、（ｂ）が平面図、（ｃ）が図１における後側から見た側面図、（ｄ）が図１における前側から見た側面図である。
【図３】本発明の一実施形態のワークステーション装置が備える収納什器の概略構成を示す背面図であり、図１における右側から見た図である。
【図４】本発明の一実施形態のワークステーション装置が備える第１箱体の概略構成を示す４面図であり、（ａ）が図１における前側から見た正面図、（ｂ）が平面図、（ｃ）が（ａ）のＡ−Ａ線断面図、（ｄ）が図１の右側方向から見た側面図である。
【図５】本発明の一実施形態のワークステーション装置が備える第１箱体の背面図であり、図１の後方向から見た図である。
【図６】本発明の一実施形態のワークステーション装置が備える連結材を示す図であり、（ａ）が正面図、（ｂ）が平面図、（ｃ）が側面図である。
【発明を実施するための形態】
【００２３】
以下、図面を参照して、本発明に係るワークステーション装置の一実施形態について説明する。なお、以下の図面において、各部材を認識可能な大きさとするために、各部材の縮尺を適宜変更している。
【００２４】
図１は、本実施形態のワークステーション装置１の概略構成を示す斜視図である。この図に示すように、本実施形態のワークステーション装置１は、テーブル什器２と、収納什器３と、テーブル什器４と、連結材５とを備えている。なお、図１に示すように、以下の説明において、テーブル什器２の長手方向を左右方向と称し、これと直交する水平方向を前後方向、また鉛直方向を上下方向と称する。
【００２５】
テーブル什器２は、２つの脚体２ａ及び脚体２ｂと、１枚の天板２ｃとから構成されている。脚体２ａ及び脚体２ｂは、テーブル什器２の左右方向における端部に立設されるパネル状の部材であり、互いに対向配置されている。
【００２６】
天板２ｃは、左右寸法（左右方向の寸法）が前後寸法（前後方向の寸法）よりも長尺な矩形のパネル状の部材であり、表裏面が上下方向を向くようにして脚体２ａ及び脚体２ｂによって下方から支持されている。この天板２ｃの中央には、左右方向に延在する配線収容部２ｃ１が設けられている。この配線収容部２ｃ１は、天板２ｃの上面から下方に掘り下げられた溝２ｃ２（図２（ａ）参照）と、この溝を覆うカバー２ｃ３とによって構成されている。
【００２７】
なお、脚体２ｂと天板２ｃとの接続箇所には、連結材５の後述する天板連結部５ｂが挿通される孔部６（図２（ｄ））が設けられている。
【００２８】
このようなテーブル什器２においては、天板２ｃを挟んで前後に椅子が配置され、椅子に着座したワーカーが天板２ｃ上において作業を行う。また、天板２ｃが左右方向に長尺な形状であるため、天板２ｃの前側辺と後側辺とには左右方向に複数のワーカーが着座できるように構成されている。
【００２９】
収納什器３は、テーブル什器２の左側端部２ｄ（左右方向の端部）と右側端部２ｅ（左右方向の端部）とのうち、右側端部２ｅに当接された状態で配置されている。図２は、収納什器３の概略構成を示す４面図であり、（ａ）が図１における左側から見た正面図、（ｂ）が平面図、（ｃ）が図１における後側から見た側面図、（ｄ）が図１における前側から見た側面図である。また、図３は、収納什器３の概略構成を示す背面図であり、図１における右側から見た図である。
【００３０】
これらの図に示すように、収納什器３は、ブリッジベース３ａと、第１箱体３ｂと、第１棚板３ｃと、第２箱体３ｄと、第２棚板３ｅと、ブリッジ天板３ｆと、ブリッジ棚板３ｇとを備えている。また、収納什器３は、部材同士の連結や、部材の支持に用いられる複数のビス（不図示）及びブラケット（不図示）等を備えている。
【００３１】
ブリッジベース３ａは、収納什器３の底部に配置された矩形のプレート状の部材であり、第１箱体３ｂ及び第２箱体３ｄを下方から直接支持すると共に、第１棚板３ｃ、第２棚板３ｅ、ブリッジ天板３ｆ及びブリッジ棚板３ｇとを間接的に支持している。このブリッジベース３ａは、床面に直接当接する不図示のアジャスタを多数備えており、これらのアジャスタによって床面に対する姿勢を調節可能とされている。
【００３２】
第１箱体３ｂは、前側が開口された箱状の部材であり、ブリッジベース３ａの前寄りに配置され、ブリッジベース３ａと不図示のビスによって固定されている。図４は、第１箱体３ｂの概略構成を示す４面図であり、（ａ）が図１における前側から見た正面図、（ｂ）が平面図、（ｃ）が（ａ）のＡ−Ａ線断面図、（ｄ）が図１の右側方向から見た側面図である。また、図５は、第１箱体３ｂの背面図であり、図１の後方向から見た図である。これらの図に示すように、第１箱体３ｂは、底部３ｂ１、第１側面部３ｂ２、第２側面部３ｂ３、背面部３ｂ４及び天井部３ｂ５から構成されている。
【００３３】
底部３ｂ１は、図１における左右方向の幅が、ブリッジベース３ａの幅と一致された矩形状のパネル部材であり、第１箱体３ｂの最下部に配置される。第１側面部３ｂ２は底部３ｂ１の左辺と接続されるパネル部材であり、第２側面部３ｂ３は底部３ｂ１の右辺と接続されるパネル部材であり、背面部３ｂ４は底部３ｂ１の後辺と接続されるパネル部材である。なお、第１側面部３ｂ２と背面部３ｂ４とは屈曲状態で接続され、第２側面部３ｂ３と背面部３ｂ４とも屈曲状態で接続されている。天井部３ｂ５は、外形形状が底部３ｂ１と同じパネル部材であり、第１側面部３ｂ２と、第２側面部３ｂ３と、背面部３ｂ４との上端に接続され、第１箱体３ｂの最上部に配置されている。また、天井部３ｂ５の天面には、天井部３ｂ５とブリッジ天板３ｆとを接続するビスが挿通されるビス孔３ｂ６が複数設けられている。
【００３４】
第１側面部３ｂ２と、第２側面部３ｂ３と、背面部３ｂ４とは、いずれも同じ高さ寸法を有している。これらの高さ寸法は、テーブル什器２の天板２ｃの設置高さを超えるように設定されている。また、図４（ｃ）に示すように、第２側面部３ｂ３の内壁には、第１棚板３ｃを不図示の棚ブラケットによって引っ掛けるための孔３ｂ７が上下方向に配列されて複数設けられている。また、図示していないが、第１側面部３ｂ２の内壁にも、第１棚板３ｃを不図示の棚ブラケットによって引っ掛けるための孔３ｂ７が上下方向に配列されて複数設けられている。また、図５に示すように、背面部３ｂ４の背面には、ブリッジ棚板３ｇを不図示の棚ブラケットによって引っ掛けるための孔３ｂ８が上下方向に配列されて複数設けられている。
【００３５】
このような第１箱体３ｂは、底部３ｂ１の前縁３ｂ１１と、第１側面部３ｂ２の前縁３ｂ２１と、第２側面部３ｂ３の前縁３ｂ３１と、天井部３ｂ５の前縁３ｂ５１とが同一仮想平面上に配置されている。すなわち、底部３ｂ１の前縁３ｂ１１と、第１側面部３ｂ２の前縁３ｂ２１と、第２側面部３ｂ３の前縁３ｂ３１と、天井部３ｂ５の前縁３ｂ５１とが面一となるように配置されている。
【００３６】
また、第１箱体３ｂは、これらの底部３ｂ１の前縁３ｂ１１と、第１側面部３ｂ２の前縁３ｂ２１と、第２側面部３ｂ３の前縁３ｂ３１と、天井部３ｂ５の前縁３ｂ５１とが配置される仮想平面を、テーブル什器２の天板２ｃの前側端部２ｃ４と面一となるように配置されている。すなわち、図１に示す前後方向において、天板２ｃの前側端部２ｃ４と収納什器３の前側端部（前縁３ｂ１１、前縁３ｂ２１、前縁３ｂ３１及び前縁３ｂ５１）との位置が一致されている。また、同様に天板４ｃの前側端部４ｃ４と収納什器３の前側端部との位置が一致されている。
【００３７】
また、第１箱体３ｂの内部は、ワーカーの所有物を収納する収納空間とされている。すなわち、収納什器３は、図１に示すように、第１箱体３ｂによって形成され、収納什器３において前方側に配置されると共に天板２ｃの前方側に向けて開口される前側収納部１０を備えている。
【００３８】
第１棚板３ｃは、第２側面部３ｂ３の内壁に設けられた孔３ｂ７に引っ掛けられる不図示の棚ブラケットによって支持されることで第１箱体３ｂの内部に配置されるパネル部材であり、前側収納部１０の収納空間を上下方向に分割する。第１棚板３ｃは、前側収納部１０の構成部材であり、本実施形態においては、上下方向に離間して２枚設置されている。これらの第１棚板３ｃによって、前側収納部１０の収納空間が上下方向に３分割されている。
【００３９】
第２箱体３ｄは、図１の前後方向において第１箱体３ｂと対象形状とされているため、詳細な説明は省略する。このような第２箱体３ｄは、ブリッジベース３ａの後寄りに配置され、ブリッジベース３ａと不図示のビスによって固定されている。また、第２箱体３ｄは、図１に示す前後方向において、天板２ｃの後側端部２ｃ５と収納什器３の後側端部との位置が一致されている。また、同様に天板４ｃの後側端部４ｃ５と収納什器３の前側端部との位置が一致されている。
【００４０】
このような第２箱体３ｄの内部は、ワーカーの所有物を収納する収納空間とされている。すなわち、収納什器３は、図１に示すように、第２箱体３ｄによって形成され、収納什器３において後方側に配置されると共に天板２ｃの後方側に向けて開口される後側収納部２０を備えている。
【００４１】
第２棚板３ｅは、第２箱体３ｄの内部に配置されるパネル部材であり、後側収納部２０の収納空間を上下方向に分割する。第２棚板３ｅは、後側収納部２０の構成部材であり、本実施形態においては、上下方向に離間して２枚設置されている。これらの第２棚板３ｅによって、後側収納部２０の収納空間が上下方向に３分割されている。
【００４２】
ブリッジ天板３ｆは、図１及び図２に示すように、第１箱体３ｂの天面３ｂａと、第２箱体３ｄの天面３ｄａとに固定されたパネル部材である。このブリッジ天板３ｆは、上方から見てブリッジベース３ａと同じ矩形に形状設定されており、第１箱体３ｂと第２箱体３ｄとに架設されている。このようなブリッジ天板３ｆは、上面３ｆ１が平面とされており、この上面３ｆ１によって物品載置面とされている。また、このようなブリッジ天板３ｆは、第１箱体３ｂ及び第２箱体３ｄを連結しており、収納什器３を一体化させている。
【００４３】
このようなブリッジベース３ａと、第１箱体３ｂと、第２箱体３ｄと、ブリッジ天板３ｆとによって囲まれた空間は、テーブル什器２からテーブル什器４へ配線を連通する領域とされている。なお、この空間のうち、ブリッジ棚板３ｇより下方の領域は、図２（ａ）に示すように左側に配置されたテーブル什器２の配線収容部２ｃ１と連通し、また図３に示すように右側に配置されたテーブル什器４の後述する配線収容部４ｃ１と連通する配線挿通部３０とされている。
【００４４】
ブリッジ棚板３ｇは、第１箱体３ｂと第２箱体３ｄとに挟まれた空間に配置されるパネル部材であり、上面がテーブル什器２の天板２ｃの上面及びテーブル什器４の天板４ｃと面一となる高さに配置されている。
【００４５】
テーブル什器４は、２つの脚体４ａ及び脚体４ｂと、１枚の天板４ｃとから構成されている。脚体４ａ及び脚体４ｂは、テーブル什器４の左右方向における端部に立設されるパネル状の部材であり、互いに対向配置されている。
【００４６】
天板４ｃは、左右寸法（左右方向の寸法）が前後寸法（前後方向の寸法）よりも長尺な矩形のパネル状の部材であり、表裏面が上下方向を向くようにして脚体４ａ及び脚体４ｂによって下方から支持されている。この天板４ｃの中央には、左右方向に延在する配線収容部４ｃ１が設けられている。この配線収容部４ｃ１は、天板４ｃの上面から下方に掘り下げられた溝４ｃ２（図３参照）と、この溝を覆うカバー４ｃ３とによって構成されている。
【００４７】
なお、脚体４ａと天板４ｃとの接続箇所には、連結材５の後述する天板連結部５ｂが挿通される孔部７（図３参照）が設けられている。
【００４８】
このようなテーブル什器４においては、天板４ｃを挟んで前後に椅子が配置され、椅子に着座したワーカーが天板４ｃ上において作業を行う。また、天板４ｃが左右方向に長尺な形状であるため、天板４ｃの前側辺と後側辺とには左右方向に複数のワーカーが着座できるように構成されている。
【００４９】
なお、図１に示すように、収納什器３は、天板２ｃ及び天板４ｃの設置高さを超える高さ寸法を有し、天板２ｃ側の面であって天板２ｃの上に露出された領域が情報掲示部３ｉとされ、天板４ｃ側の面であって天板４ｃの上に露出された領域が情報掲示部３ｊとされている。この情報掲示部３ｉ及び情報掲示部３ｊにおいては、例えばマグネットや粘着テープによってメモを貼付したり、また情報表示用のディスプレイを配置したりすることで容易に情報の掲示を行うことができる。
【００５０】
図６は、連結材５を示す図であり、（ａ）が正面図、（ｂ）が平面図、（ｃ）が側面図である。これらの図に示すように、連結材５は、ベースプレート５ａと、天板連結部５ｂとによって構成されている。ベースプレート５ａは、収納什器３の天板２ｃ側の面あるいは天板４ｃ側の面にビス止めにて固定される部位である。天板連結部５ｂは、ベースプレート５ａの上端に対して２つ設けられており、ベースプレート５ａに対して屈曲状態で接続されている。この天板連結部５ｂは、長さ寸法がテーブル什器２の脚体２ｂ及び脚体４ａの厚み寸法よりも大きく設定されている。このような天板連結部５ｂは、脚体２ｂと天板２ｃとの接続箇所に設けられた孔部６、あるいは、脚体４ａと天板４ｃとの接続箇所に設けられた孔部７に挿通され、先端が天板２ｃあるいは天板４ｃの裏面にビス止めされている。このような連結材５は、図２（ａ）に示すように、収納什器３の天板２ｃ側に対して２つ設置され、図３に示すように、収納什器３の天板４ｃ側に対して２つ設置されている。これらの連結材５によって収納什器３とテーブル什器２とが連結され、収納什器３とテーブル什器４とが連結されている。
【００５１】
このような構成を有する本実施形態のワークステーション装置１においては、左右寸法が前後寸法よりも長尺な天板２ｃを有するテーブル什器２と、同じく左右寸法が前後寸法よりも長尺な天板４ｃを有するテーブル什器４と、テーブル什器２及びテーブル什器４の間にて天板２ｃ及び天板４ｃの左右方向の端部に当接されて配置されると共に天板２ｃ及び天板４ｃの設置高さを超える高さ寸法を有する収納什器３とを備えている。このような本実施形態のワークステーション装置１によれば、テーブル什器２とテーブル什器４との間に、天板２ｃ及び天板４ｃの設置高さを超える高さ寸法の収納什器３が設置されているため、ワゴンを用いることなく個人の所有物を保管することが可能となる。したがって、本実施形態のワークステーション装置１によれば、テーブル什器２及びテーブル什器４における座席選択の自由度が損なわれることがない。また、天板２ｃ及び天板４ｃ上の側方が収納什器３によって閉塞されることになるため、作業空間とその他の空間とを区画することが出来ると共に、作業者の視線を遮ることによって好適な作業空間を形成することが出来る。
【００５２】
また、本実施形態のワークステーション装置１においては、前後方向において、天板２ｃの前側端部２ｃ４及び天板４ｃの前側端部４ｃ４と、収納什器３の前側端部との位置が一致され、かつ、天板２ｃの後側端部２ｃ５及び天板４ｃの後側端部４ｃ５と収納什器３の後側端部との位置が一致されている。このような本実施形態のワークステーション装置１によれば、テーブル什器２と収納什器３との境界部分及びテーブル什器４と収納什器３との境界部分に前後方向に凹凸ができることを防止することができ、ワークステーション装置の前後端に凹凸が形成されず、使い勝手を良好なものとすることができる。
【００５３】
また、本実施形態のワークステーション装置１においては、収納什器３が、前方に向けて開口する前側収納部１０と、後方に向けて開口する後側収納部２０とを備えている。このような本実施形態のワークステーション装置１によれば、前側収納部１０が天板２ｃ及び天板４ｃの前方に向けて開口されており、後側収納部２０が天板２ｃ及び天板４ｃの後方に向けて開口されている。このため、天板２ｃ天板４ｃの前方に着座するワーカーは、前側収納部１０に容易に荷物を出し入れすることができ、天板２ｃ及び天板４ｃの後方に着座するワーカーは、後側収納部２０に容易に荷物を出し入れすることができる。したがって、本実施形態のワークステーション装置１は、使い勝手の良いものとなる。
【００５４】
また、本実施形態のワークステーション装置１においては、収納什器３が、天板２ｃあるいは天板４ｃ側の面であって天板２ｃあるいは天板４ｃの上に露出された領域が情報掲示部３ｉ及び情報掲示部３ｊとされている。このような本実施形態のワークステーション装置１によれば、容易にワーカーが情報を共有することができ、ワークステーション装置１としての使い勝手が向上する。
【００５５】
また、本実施形態のワークステーション装置１においては、天板２ｃが左右方向に延在する配線収容部２ｃ１を備え、天板４ｃが左右方向に延在する配線収容部４ｃ１を備え、収納什器３が、左側に配置された天板２ｃの配線収容部２ｃ１と右側に配置された天板４ｃの配線収容部４ｃ１とを連通する配線挿通部３０を備えている。このような本実施形態のワークステーション装置１によれば、収納什器３を挟んで配置される２つのテーブル什器２からテーブル什器４に、容易に配線を引き渡すことが可能となる。
【００５６】
また、本実施形態のワークステーション装置１においては、前側収納部１０と後側収納部２０との間に配線挿通部３０が形成されている。このような本実施形態のワークステーション装置１によれば、前側収納部１０と後側収納部２０とを形成すれば配線挿通部３０が形成されることになるため、配線挿通部３０を簡易的に構成することが出来る。
【００５７】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５８】
例えば、上記実施形態よりも多数のテーブル什器を備え、各テーブル什器同士の間に収納什器を設置する構成を採用することも可能である。
【００５９】
また、上記実施形態においては、各収納部（前側収納部１０及び後側収納部２０）が２枚ずつの棚板（第１棚板３ｃ及び第２棚板３ｅ）を備える構成について説明した。しかしながら、本発明はこれに限定されるものではなく、棚板の枚数は任意であり、また棚板を設置しない構成を採用することも可能である。
【００６０】
また、上記実施形態においては、テーブル什器２の天板２ｃが脚体２ａ及び脚体２ｂによって支持され、テーブル什器４の天板４ｃが脚体４ａ及び脚体４ｂによって支持された構成について説明した。しかしながら、本発明はこれに限定されるものではなく、中央に配置される１つの脚体で天板２ｃあるいは天板４ｃを支持する構成や、収納什器３で天板２ｃを支持して脚体２ｂ及び脚体４ａを削除する構成を採用することもできる。
【００６１】
また、上記実施形態においては、テーブル什器２と収納什器３及びテーブル什器４と収納什器３とが連結材５にて連結されている構成について説明した。しかしながら、本発明はこれに限定されるものではなく、テーブル什器２及びテーブル什器４と収納什器３とが係合して連結される構成や、テーブル什器２及びテーブル什器４と収納什器３とが当接のみする構成を採用することも可能である。
【００６２】
また、例えば、配線挿通部３０に、配線を支持するための受部を別途設置する構成を採用することもできる。このような構成を採用することによって、配線挿通部３０における配線の負荷を低減することができる。
【符号の説明】
【００６３】
１……ワークステーション装置、２……テーブル什器、２ａ……脚体、２ｂ……脚体、２ｃ……天板、２ｃ１……配線収容部、２ｃ２……溝、２ｃ３……カバー、２ｃ４……前側端部、２ｃ５……後側端部、２ｄ……左側端部、２ｅ……右側端部、３……収納什器、３ａ……ブリッジベース、３ｂ……第１箱体、３ｂ１……底部、３ｂ１１……前縁、３ｂ２……第１側面部、３ｂ２１……前縁、３ｂ３……第２側面部、３ｂ３１……前縁、３ｂ４……背面部、３ｂ５……天井部、３ｂ５１……前縁、３ｂ６……ビス孔、３ｂ７……孔、３ｂ８……孔、３ｂａ……天面、３ｃ……第１棚板、３ｄ……第２箱体、３ｄａ……天面、３ｅ……第２棚板、３ｆ……ブリッジ天板、３ｆ１……上面、３ｇ……ブリッジ棚板、３ｉ……情報掲示部、３ｊ……情報掲示部、４……テーブル什器、４ａ……脚体、４ｂ……脚体、４ｃ……天板、４ｃ１……配線収容部、４ｃ２……溝、４ｃ３……カバー、４ｃ４……前側端部、４ｃ５……後側端部、５……連結材、５ａ……ベースプレート、５ｂ……天板連結部、６……孔部、７……孔部、１０……前側収納部、２０……後側収納部、３０……配線挿通部
【図１】
2014090920.tif 000003
【図２】
2014090920.tif 000004
【図３】
2014090920.tif 000005
【図４】
2014090920.tif 000006
【図５】
2014090920.tif 000007
【図６】
2014090920.tif 000008